(57)【特許請求の範囲】
【請求項１】
毛切断機器の着脱可能な切断ユニットを接続するための接続プラグのための受容容器であって、前記受容容器は、接続プラグの対応する係合要素を受容するよう構成された受容凹部を有する少なくとも１つの受容ソケットと、前記受容凹部の下において前記少なくとも１つの受容ソケットに配置された少なくとも１つの付勢ユニットと、を有し、前記少なくとも１つの付勢ユニットは、第１の付勢要素と、前記第１の付勢要素と対向する第２の付勢要素と、を有し、前記第１の付勢要素と前記第２の付勢要素とは、互いと横方向に離隔され、前記第１の付勢要素及び前記第２の付勢要素は、前記接続プラグの前記係合要素を付勢する態様で受容し、これにより前記係合要素の受容位置を定義するよう構成され、前記第１の付勢要素は、挿入方向において前記係合要素の受容位置を定義するよう構成された保持接触部を有し、前記第２の付勢要素は、長手方向及び横方向において前記係合要素の受容位置を定義するよう構成された整合接触部を有する、受容容器。
【請求項２】
前記少なくとも１つの付勢ユニットは、少なくとも１つの板ばね要素を有する、請求項１に記載の受容容器。
【請求項３】
前記少なくとも１つの付勢ユニットは、少なくとも１つの線ばね要素を有する、請求項１又は２に記載の受容容器。
【請求項４】
前記第１の付勢要素の保持接触部は、前記係合要素と係合するよう構成された湾曲部分を有し、これにより前記挿入方向において前記係合要素の受容位置を定義する、請求項１乃至３のいずれか一項に記載の受容容器。
【請求項５】
前記第２の付勢要素の整合接触部は、前記長手方向における前記係合要素の受容位置を定義する、前記長手方向の端に配置された、対向する接触部分を有する、請求項１乃至４のいずれか一項に記載の受容容器。
【請求項６】
前記第１の付勢要素が、前記横方向において前記係合要素を付勢するよう構成され、前記第２の付勢要素が、前記横方向において前記係合要素を付勢するよう構成され、前記第１の付勢要素と前記第２の付勢要素とが互いに向かって付勢し、これにより前記横方向における前記係合要素の受容位置を定義する、請求項１乃至５のいずれか一項に記載の受容容器。
【請求項７】
第１の係合要素及び第２の係合要素を受容するよう構成された第１の受容凹部及び第２の受容凹部を有し、前記第１の受容凹部と前記第２の受容凹部とは、互いに対して前記横方向に離隔され、第１の付勢ユニット及び第２の付勢ユニットがそれぞれ、前記第１の受容凹部及び前記第２の受容凹部の下の、又はより一般的にはこれら受容凹部と関連した、第１の受容ソケット及び第２の受容ソケットに配置される、請求項１乃至６のいずれか一項に記載の受容容器。
【請求項８】
前記第１の付勢ユニット及び前記第２の付勢ユニットのそれぞれの前記第１の付勢要素が、一体的に形成された、請求項７に記載の受容容器。
【請求項９】
前記第１の付勢ユニット及び前記第２の付勢ユニットのそれぞれの前記第２の付勢要素が、一体的に形成された、請求項７又は８に記載の受容容器。
【請求項１０】
毛切断機器の着脱可能な切断ユニットを接続するための受容容器のための接続プラグであって、前記接続プラグは、挿入方向において基部から延在する少なくとも１つの係合要素を有し、前記少なくとも１つの係合要素は、挿入方向に垂直な面において見たときに、対応する受容容器の受容凹部を通して嵌合するよう構成された断面プロファイルを有し、前記少なくとも１つの係合要素は、前記挿入方向に略平行に延在する接触窪みを有し、前記接触窪みは、前記受容容器の付勢ユニットと接触して、長手方向において前記係合要素の受容位置を定義するよう構成され、前記少なくとも１つの係合要素は、前記受容容器の付勢ユニットに接触して、前記挿入方向における前記係合要素の受容位置を定義するよう構成された係合凹部を有し、前記接触窪みと前記係合凹部とは、前記少なくとも１つの係合要素の反対の側に配置された、接続プラグ。
【請求項１１】
前記接触窪みは、前記少なくとも１つの係合要素において凹状の面を定義し、前記接触窪みは、前記受容容器に装着されたときに、前記長手方向において前記第２の付勢要素を囲むよう構成された、請求項１０に記載の接続プラグ。
【請求項１２】
前記少なくとも１つの係合要素の断面プロファイルは、略Ｃ字型又はＵ字型である、請求項１０又は１１に記載の接続プラグ。
【請求項１３】
前記係合凹部は、前記少なくとも１つの係合要素において、横方向に延在する凹状部を有する、請求項１０乃至１２のいずれか一項に記載の接続プラグ。
【請求項１４】
前記接続プラグが、第１の係合要素及び第２の係合要素を有し、前記第１の係合要素と前記第２の係合要素とは、互いに対して横方向に離隔され、前記第１の係合要素及び前記第２の係合要素は、前記受容容器のそれぞれ第１の受容凹部及び第２の受容凹部を通して嵌合し、前記受容容器に装着されるときに、第１の付勢ユニット及び第２の付勢ユニットと接触するよう構成された、請求項１０乃至１３のいずれか一項に記載の接続プラグ。
【請求項１５】
モータを収容する筐体と、着脱可能な切断ユニットと、を有する毛切断機器であって、前記筐体は更に、請求項１乃至９のいずれか一項に記載の受容容器を有し、前記着脱可能な切断ユニットは、請求項１０乃至１４のいずれか一項に記載の接続プラグを有する、毛切断機器。
【発明の詳細な説明】
【技術分野】
【０００１】
本発明は、毛切断機器に関し、特に電動毛切断機器に関し、更に詳細には斯かる機器のための切断ユニットのための着脱可能なインタフェースに関する。該着脱可能なインタフェースは、受容容器及び対応する接続プラグにより形成されても良く、該受容容器及び該接続プラグの少なくとも一方は、該毛切断機器の筐体に備えられても良く、他方が該切断ユニットに備えられても良い。
【背景技術】
【０００２】
国際特許出願公開WO2013/150412A1は、毛切断機器及び対応する毛切断機器の刃セットを開示している。該刃セットは、固定刃と可動刃とを有し、該可動刃は、毛を切断するため該固定刃に対して往復的に駆動され得る。該刃セットは特に、トリミング及びシェービング動作の両方を可能とするために適している。
【０００３】
体毛を切断する目的のために、基本的に通例２つの区別されるタイプの電動機器、即ちかみそり（razor）及び毛トリマ又はクリッパ（clipper）がある。一般にかみそりはシェービング、即ち無精ひげのない滑らかな皮膚を得るために皮膚のレベルで体毛を薄く切るために用いられる。毛トリマは一般に、皮膚から選択された長さで毛を切るため、即ち所望の長さに毛を切断するために用いられる。機器の違いは、これらの機器に実装される切断刃構成の構造及び様式に反映される。
【０００４】
電気かみそりは一般に、フォイル（foil）即ち極薄の孔のあいたスクリーンと、該フォイルの内側に沿って該フォイルに対して動くことができる切断刃と、を含む。使用の間、フォイルの外側は皮膚に当てられて皮膚に押し付けられ、該フォイルを貫通する毛が、フォイルの内側に対して動く切断刃によって切断され、かみそり内の中空の毛収集部へと落ちるようにされる。
【０００５】
他方、電動毛トリマは一般に、歯状の端を持つ２つの切断刃を含み、一方が他方の上に配され、それぞれの歯状の端が重なるようにされる。動作時には、これら切断刃が互いに対して往復運動し、はさみ型の動作で、これら歯の間に捉えられた毛を切断する。毛が切断される皮膚の上の正確なレベルは通常、（スペーサ）保護部又は櫛部と呼ばれる、付加的な装着可能な部分によって決定される。
【０００６】
更に、シェービング及びトリミングの両方の目的に基本的に適合させられた、組み合わせられた装置が知られている。しかしながら、これらの装置は単に、２つ別個の異なる切断部、即ち以上に示したような電気かみそりの概念に合致する設定を有するシェービング部と、他方で毛トリマの概念に合致する設定を有するトリマ部と、を含むに過ぎない。
【０００７】
不運にも、一般に電気かみそりは、皮膚の上で所望の可変長に毛を切るためには、即ち正確なトリミング動作のためには、特に適しているわけではない。このことは、少なくとも一部は、電気かみそりが、フォイル及びその結果として切断刃を皮膚から離隔する機構を含まないという事実によって説明されることができる。しかしながら、仮に電気かみそりが、例えば離隔用櫛部のような装着離隔部を追加することによって、斯かる機構を含んでいたとしても、一般に多数の小さな円形の孔を含むフォイルの構成が、短い及び硬い毛を除く全ての毛の効率的な捕捉を妨げることとなる。
【０００８】
同様に、一般的な毛トリマは、主に別個の切断刃が、変形することなくはさみ状の動作を実行するために特定の剛性、それ故厚さを必要とするという理由のため、シェービングに特に適しているわけではない。しばしば、皮膚の近くにおいて毛が切断されることを防ぐものは、皮膚に面する刃の、最小限必要とされる刃厚である。従って、体毛をシェービングすること及びトリミングすることの両方を望むユーザは、２つの別個の機器を購入して使用する必要があり得る。
【０００９】
更に、組み合わせられたシェービング及びトリミング装置は、基本的に２つの切断刃セット及びそれぞれの駆動機構を必要とするため、幾つかの欠点を呈する。従って、これら装置は標準型の単一目的用の毛切断機器よりも重くて摩耗に弱く、更にはコストの掛かる製造工程及び組み立て工程を必要とする。同様に、これら組み合わせられた装置を動作させることは、しばしば不快さ及び複雑さを体感させる。２つの別個の切断部を有する通常の組み合わせられたシェービング及びトリミング装置が利用される場合であっても、該装置を取り扱うこと、及び異なる動作モード間で切り換えることは、時間を浪費することであり、あまりユーザフレンドリではないと考えられ得る。これらの切断部は一般に該装置の異なる位置に備えられるため、動作の間にユーザは２つの別個の主な保持位置に慣れる必要があり、ガイド精度が（それ故切断精度も）低減し得る。
【００１０】
上述した国際特許出願公開WO2013/150412A1は、使用時に皮膚に面する可動刃の側に固定刃の第１の部分が配置されるように、及び使用時に皮膚とは反対側の可動刃の側に固定刃の第２の部分が配置されるように、可動刃を収容する固定刃を有する刃セットを提供することにより、斯かる問題に対処しようとしている。更に、歯状切断端において、該固定刃の第１の部分と第２の部分とが接続され、可動刃のそれぞれの歯をカバーする複数の固定歯を形成する。その結果、可動刃は固定刃により保護される。
【００１１】
当該構成は、皮膚とは反対側の可動刃の側にも固定刃が存在するため、固定刃が増大させられた強度及び剛性を刃セットにもたらし得る点については有利である。このことは一般的に、可動刃の皮膚に面する側における固定刃の第１の部分の厚さの低減を可能とし得る。従って、このようにして動作の間に可動刃が皮膚により近くされ得るため、上述の刃セットは毛シェービング動作に好適である。これに加え、該刃セットは、スロットと交番するそれぞれの歯を含む切断端の構成が、長い毛がスロットに入ることを可能とし、従って可動刃と固定刃との間の相対切断運動によって切断されることを可能とするため、毛トリミング動作にも特に適している。
【発明の概要】
【発明が解決しようとする課題】
【００１２】
国際特許出願公開WO2013/150412A1に開示された毛切断機器は、シェービング性能及びトリミング性能の両方に適切に対応している。この他の点について、当該文献は、実際的な使用の観点については言及していない。例えば、使用の間、斯かる装置の切断ユニットにおいては、摩耗が生じ得る。更に、埃及び／又は毛の残りが、切断ユニットに蓄積され得る。
【００１３】
本発明の目的は、日常の使用に対する改善された適切さを呈する、毛切断機器、特に受容容器及び該機器の切断ユニットのための接続プラグを提供することにある。特に、該機器の筐体に対して、切断ユニットの迅速で簡便な装着及び取り外しを可能とし得る、受容容器及び対応する接続プラグが提示され得る。更に好適には、該毛切断機器の筐体（又は本体）における切断ユニットの正確な装着を可能とし得る、受容容器及び対応する接続プラグを提供することが有利となり得る。
【課題を解決するための手段】
【００１４】
本発明の第１の態様においては、毛切断機器の着脱可能な切断ユニットを接続するための接続プラグのための受容容器であって、前記受容容器は、接続プラグの対応する係合要素を受容するよう構成された受容凹部を有する少なくとも１つの受容ソケットと、前記受容凹部の下において、又はより一般的には前記受容凹部と関連して、前記少なくとも１つの受容ソケットに配置された少なくとも１つの付勢ユニットと、を有し、前記少なくとも１つの付勢ユニットは、第１の付勢要素と、前記第１の付勢要素と対向する第２の付勢要素と、を有し、前記第１の付勢要素と前記第２の付勢要素とは、互いと横方向に離隔され、前記第１の付勢要素及び前記第２の付勢要素は、前記接続プラグの前記係合要素を付勢する態様で受容し、これにより前記係合要素の受容位置を定義するよう構成され、前記第１の付勢要素は、挿入方向Ｚにおいて前記係合要素の受容位置を定義するよう構成された保持接触部を有し、前記第２の付勢要素は、長手方向Ｘ及び横方向Ｙにおいて前記係合要素の受容位置を定義するよう構成された整合接触部を有する、受容容器が提示される。
【００１５】
本態様は、基本的に剛性の嵌合部及び構成要素の定義された間隔及び定義された座部に依存する場合、毛切断機器の着脱可能な部分に対して正確な厳しい公差を達成することがしばしば困難であるという洞察に基づく。換言すれば、適切な公差は、一方では、構成要素が依然として所望の態様で接続可能であるように選択される必要がある。他方では、このようにして装着された構成要素が緩くがたつく様に嵌められ得、それ故低い品質を呈する内側部分とみなされ得るため、嵌めがあまり緩くないことも必要とされる。更に、大きな公差にさらされる嵌合要素は、該毛切断機器の動作性能に悪影響を与え得る。それ故、本発明の第１の態様によれば、これらの（空間的）方向の少なくとも２つにおいて、少なくとも部分的に、圧力嵌めによる嵌合に依存することが提案される。従って、接続プラグは、基本的に遊びが無い態様で受容容器に受容されることができる。このようにすれば「ゼロ公差」又は少なくとも「ゼロに近い公差」が達成され得るため、有益である。高い繰り返し精度が実現され、必要であれば切断性能を再び得るために交換用切断ユニットが該毛切断機器に装着されることができる。このことは、少なくとも１つの付勢ユニットのため、嵌合要素におけるかなり厳しい寸法的な公差を必要とすることなく実現され得る。
【００１６】
これに関して、以上の態様はＸ方向及びＹ方向における構成に対する寄与から第１の付勢要素を必ずしも除外しないこと、及びＺ方向における構成に対する寄与から第２の付勢要素が必ずしも除外されないことを、言及しておく価値がある。しかしながら、係合要素を位置決めすることは主に分散されたタスクであり、第１の付勢要素がＺの位置決めの中心となり、第２の付勢要素がＸの位置決め及びＹの位置決めの中心となることが好適である。このようにすれば、第２の付勢要素が、係合要素のための解放力に大きく影響を及ぼさない、かなり高い位置決め力（Ｘ方向及びＹ方向における）を生成するよう設計され得るため、有益となり得る。第２の付勢要素は、解放力に影響を及ぼし得る、小さな摩擦力成分を生成し得る。逆に、第１の付勢要素は基本的に、係合要素において対応部と係合し、それ故かなり大きな保持力（Ｚ方向における）を生成し得る。第１の付勢要素の剛性を増大させることによって位置決め力を増大させようとしたとすると、保持力もがかなり大きくなり、インタフェースを作動させることがより困難になり努力を要することとなるため、ユーザにより不快と感じられ得る。
【００１７】
本開示の目的のため、横方向Ｙは、切断ユニットの切断端の主延長に基本的に平行な方向とみなされ得る。同様に、長手方向は、横方向Ｙに垂直な方向とみなされ得る。換言すれば、横方向Ｙは、毛を切断するときに該毛切断機器の推定される（又は仮想的な）運動方向に基本的に垂直な方向とみなされ得る。ここで用いられる挿入方向Ｚは、長手方向Ｘに垂直であり且つ横方向Ｙに垂直である方向とみなされ得る。更に、挿入方向Ｚは、該毛切断機器の嵌合要素の挿入又は解放運動により定義される経路に基本的に平行な方向とみなされ得る。以上の定義は単に説明のために示されたものであって、限定的な態様で解釈されるべきではないことは、留意されるべきである。更に、本発明の第１の態様によれば、接続プラグの対応する係合要素の空間的な受容位置を定義するよう構成され協働する第１の付勢要素と第２の付勢要素とを持つ、少なくとも１つの付勢ユニットを有する受容容器が提供され得る。ここで用いられる空間的な位置とは、３次元空間における位置を示す。それ故、以上に導入された長手方向Ｘ、横方向Ｙ及び挿入方向Ｚは、切断ユニット又は毛切断機器のそれぞれＸ軸、Ｙ軸及びＺ軸を持つ座標系と、必ずしも完全に合致する必要はないことは、当業者は容易に理解し得る。それ故、当業者が異なる方向を持つ代替の実施例、対応する図面及び説明に直面した場合、ここで提供された方向の例を容易に変換及び／又は移動し得ることは、理解されるべきである。
【００１８】
接続プラグの少なくとも１つの係合要素が、長手方向Ｘ、横方向Ｙ及び挿入方向Ｚのそれぞれにおいて、受容容器において圧力嵌めによる態様で少なくとも部分的に受容されることが、特に好適である。従って、接続プラグは、大きな遊びなく受容されることができる。
【００１９】
これに関連して、第１の付勢要素及び第２の付勢要素による係合要素の受容位置の定義は、単に第１の付勢要素及び第２の付勢要素の付勢力により定義される「浮動的」装着を必ずしも含まないことは、言及しておく価値がある。反対に、長手方向Ｘ、横方向Ｙ及び挿入方向Ｚの少なくとも１つにおいて、係合要素の受容位置は、第１の付勢要素又は第２の付勢要素、及び受容容器及び／又は接続プラグに備えられた対応する当接（又は止め）要素の協働によって定義されても良い。換言すれば、少なくとも第１の付勢要素又は第２の付勢要素が、受容容器に対して定義された当接位置まで、少なくとも１つの係合要素を付勢しても良い（又は押しても良い）。このようにして、設計依存の及び／又は製造依存の公差が低減され、又は好適には除去され得る。
【００２０】
幾つかの実施例においては、前記少なくとも１つの付勢ユニットは、少なくとも１つの板ばね要素を有する。幾つかの実施例においては、前記少なくとも１つの板ばね要素は、リーフスプリング要素とみなされ得る。第１の付勢要素及び第２の付勢要素の少なくとも一方又は両方が、板ばね要素として構成されても良い。
【００２１】
代替の実施例においては、前記少なくとも１つの付勢ユニットは、少なくとも１つの線ばね要素を有しても良い。第１の付勢要素及び第２の付勢要素の少なくとも一方又は両方が、線ばね要素として構成されても良い。一般的に、第１の付勢要素と第２の付勢要素とが一体的に形成されても良い。しかしながら、幾つかの実施例においては、第１の付勢要素と第２の付勢要素とは別個の部分として形成され得る。一般的に、第１の付勢要素及び第２の付勢要素の少なくとも一方は、金属ばね要素として形成されても良い。代替としては、第１の付勢要素及び第２の付勢要素の少なくとも一方は、プラスチックばね要素として形成されても良い。
【００２２】
本発明の第１の態様による他の実施例においては、前記第１の付勢要素の保持接触部は、前記係合要素と係合するよう構成された湾曲部分を有し、これにより前記挿入方向Ｚにおいて前記係合要素の受容位置を定義する。該湾曲部分及び該係合要素は、圧力嵌めによる係合の態様で協働し、挿入方向Ｚにおける受容位置を定義及び保持するよう構成されても良い。これに関して、接続プラグの保持力は、受容容器に装着されたときに、第１の付勢要素の付勢力にかなり起因するものであることが特に好適である。換言すれば、接続プラグと受容容器とを取り外すときに、ユーザは、第１の付勢要素の保持接触部を、接続プラグの係合要素から取り外すのに基本的に十分な取り外し力をかける必要がある。第１の付勢要素の湾曲部分が、挿入方向において係合要素の位置を保持するための、係止構成、又は換言すれば、形状嵌め構成として機能し得る、係合要素における凹部又は突出部と係合するよう構成される場合、特に好適である。
【００２３】
更に他の実施例によれば、前記第２の付勢要素の整合接触部は、長手方向Ｘにおける前記係合要素の受容位置を定義する、長手方向の端に配置された、対向する接触部分を有する。該対向する接触部分は例えば、端面によって、及び／又は前記第２の付勢要素における基本的に長手方向に離隔された突出部によって、定義されても良い。第２の付勢要素は、特に該要素の整合接触部は、長手方向Ｘにおける係合要素の動きが防止され、同時に、係合要素の挿入方向Ｚにおける動きは基本的に第２の付勢要素によって許容されるように、該係合要素に係合しても良い。これに関して、第２の付勢要素は、受容容器から係合要素を取り外すときに打ち克たれる必要がある摩擦を生成し得る、係合要素を付勢しても良いことは、言及しておく価値がある。しかしながら、第２の付勢要素の整合接触部は、挿入方向における形状嵌め構成として機能し得る配置要素の凹部又は突出に係合しないことが好適である。
【００２４】
これに関して、前記第１の付勢要素が、横方向Ｙにおいて前記係合要素を付勢するよう構成され、前記第２の付勢要素が、横方向Ｙにおいて前記係合要素を付勢するよう構成され、前記第１の付勢要素と前記第２の付勢要素とが互いに向かって付勢し、これにより横方向Ｙにおける前記係合要素の受容位置を定義することが、更に好適である。
【００２５】
第１の付勢要素と第２の付勢要素とが互いに作用するよう構成されるため、間にある係合要素を受容及び保持することが可能である。これに関して、第１の付勢要素及び第２の付勢要素が、（横方向Ｙに基本的に垂直な）長手方向Ｘに基本的に配置されることが、特に好適である。第１の付勢要素と第２の付勢要素とが、互いに対して作用し、付勢力の平衡状態が実現され、これにより係合要素の対応する横方向の位置を定義し得るため、横方向Ｙにおける係合要素の位置は、浮動的な態様で定義され得る。しかしながら、代替の実施例においては、対応する横方向の当接要素が備えられ、係合要素の定義された横方向の端位置を確実にしても良い。
【００２６】
前記受容容器は、第１の係合要素及び第２の係合要素を受容するよう構成された第１の受容凹部及び第２の受容凹部を有し、前記第１の受容凹部と前記第２の受容凹部とは、互いに対して横方向に離隔され、第１の付勢ユニット及び第２の付勢ユニットがそれぞれ、前記第１の受容凹部及び前記第２の受容凹部の下の、又はより一般的にはこれら受容凹部と関連した、第１の受容ソケット及び第２の受容ソケットに配置されることが、特に好適である。
【００２７】
このようにして、第１の付勢ユニットの空間的定義構造が基本的に二重化されるため、当該実施例は特に有益である。ここで用いられる二重化された構成は、鏡面反転構成、複製構成、等を含んでも良い。第１の受容凹部が、該受容容器の第１の横方向の端の近くに配置され、第２の受容凹部が、該受容容器の第２の横方向の端の近くに配置されることが、更に好適となり得る。受容容器及び対応する付勢ユニットを二重化することにより、受容容器が２つの対応する係合要素を有する接続プラグを受容するよう適合されることができる。従って、対応してより多くの数の嵌合要素及び接触要素が備えられるため、該毛切断機器の筐体における切断ユニットの整合及び保持が、更に改善され得る。切断ユニットのための保持力が、適切に適合されることができる。長手方向Ｘ及び横方向Ｙの少なくとも一方において、第１の受容凹部と第２の受容凹部とを、及び対応する付勢ユニット間を離隔することは、装着の公差を更に減少させる。
【００２８】
本実施例に組み合わせて、前記第１の付勢ユニット及び前記第２の付勢ユニットのそれぞれの前記第１の付勢要素が、一体的に形成されることが特に好適である。任意に、又は代替として、前記第１の付勢ユニット及び前記第２の付勢ユニットのそれぞれの前記第２の付勢要素が、一体的に形成されることが更に好適である。代替の実施例においては、それぞれの付勢ユニットの第１の付勢要素と第２の付勢要素とが、一体的に形成されても良い。更に他の実施例においては、第１及び第２の付勢ユニットを有する付勢構成が備えられ、第１の付勢ユニットの第１及び第２の付勢要素と、第２の付勢ユニットの第１及び第２の付勢要素とが、一体的に形成される。更に他の実施例においては、付勢要素のそれぞれが、別個の部分として形成される。
【００２９】
本発明の更に他の態様によれば、毛切断機器の着脱可能な切断ユニットを接続するための受容容器のための接続プラグであって、前記接続プラグは、挿入方向Ｚにおいて基部から延在する少なくとも１つの係合要素を有し、前記少なくとも１つの係合要素は、挿入方向Ｚに垂直な面において見たときに、対応する受容容器の受容凹部を通して嵌合するよう構成された断面プロファイルを有し、前記少なくとも１つの係合要素は、前記挿入方向Ｚに略平行に延在する接触窪みを有し、前記接触窪みは、前記受容容器の付勢ユニットと接触して、長手方向Ｘにおいて前記係合要素の受容位置を定義するよう構成され、前記少なくとも１つの係合要素は、前記受容容器の付勢ユニットに接触して、前記挿入方向Ｚにおける前記係合要素の受容位置を定義するよう構成された係合凹部を有し、前記接触窪みと前記係合凹部とは、前記少なくとも１つの係合要素の反対の側に配置される、接続プラグが提示される。
【００３０】
本実施例は、接続プラグを装着するときに、該接続プラグの位置が、所望の及び繰り返しの態様で空間的に定義され得るように、対応する係合付勢要素によって係合され得る、定義された形状特徴が備えられるように、該少なくとも１つの係合要素が形成され、形状を持たされ得るという洞察に基づく。該接続プラグは、例えば射出成型された部品として形成されても良い。該接続プラグが該毛切断機器の切断ユニット側に備えられ、受容容器が該毛切断機器の筐体側に備えられることが、特に好適である。このようにすれば、交換部分において比較的安価な接続プラグが存在する一方、該毛切断機器の寿命の間交換されることが一般には意図されない該毛切断機器の筐体において比較的コストの高い容器構成が備えられ得るため、有益である。該接続プラグは、大量生産に特に適している。該接続プラグの整合及び保持は、該接続プラグの少なくとも１つの係合要素と受容容器における少なくとも１つの対応する付勢ユニットとの協働によって確実とされる。従って、コスト効率の良く製造可能であるにもかかわらず、該接続プラグは、交換用切断ユニットに対しても適切な切断性能が確実とされ得るように、正確に装着されることができる。
【００３１】
該接続プラグの実施例によれば、前記接触窪みは、前記少なくとも１つの係合要素において凹状の面を定義し、前記接触窪みは、前記受容容器に装着されたときに、前記長手方向Ｘにおいて前記第２の付勢要素を囲むよう構成される。例えば、該少なくとも１つの係合要素は、凹状の（内側）面及び凸状の（外側）面を持つ環状セグメントとしての形状を持つ断面プロファイルを有しても良い。接触凹部を凹状の面として形成することは、第２の付勢要素の対向する接触部分が、横方向においても接触窪みを付勢し、これにより横方向Ｙ及び長手方向Ｘの両方において接触窪みの位置を定義し得るため、有益であり得る。換言すれば、該接触窪みは、長手方向Ｘ及び横方向Ｙに対して傾いた、好適には基本的に挿入方向に平行な、少なくとも１つの接触面を有しても良い。
【００３２】
該接続プラグの更に他の実施例によれば、前記少なくとも１つの係合要素の断面プロファイルは、略Ｃ字型又はＵ字型である。このようにして、少なくとも１つの凹状面又は少なくとも１つの傾斜面を持つ接触窪みが、適切に形成され得る。幾つかの実施例においては、該少なくとも１つの係合要素の断面プロファイルは、挿入方向Ｚ及び横方向Ｙにより定義される中央面に対して、鏡面反転されたものではないことが、更に好適である。斯かる構成は、組み立て不良の防止に寄与し得る。このとき、切断ユニットは、所望の方向にのみ装着されることができる。また、中央面に対して基本的に鏡面状とされた断面プロファイルを有する係合要素によって、定義された正確な向きの組み立てが改善され得る。このことは、互いとは異なる断面プロファイルを持つ２つの対応する係合要素が接続プラグにおいて備えられる場合に、特に当てはまる。
【００３３】
該接続プラグの更に他の実施例によれば、前記係合凹部は、前記少なくとも１つの係合要素において、横方向に延在する凹状部を有する。換言すれば、該係合凹部は、横方向Ｙに基本的に平行な方向において少なくとも部分的に延在する。例えば、該横方向に延在する係合凹部は、第１の付勢要素の保持接触部により係合され得る切り落とし部分を有しても良い。しかしながら、代替の実施例においては、該係合凹部は、第１の付勢要素の保持接触部により係合され得る、少なくとも部分的に突出する部分を有しても良い。該係合凹部は、該少なくとも１つの係合要素における横方向の開口により形成されても良い。
【００３４】
前記接続プラグが、第１の係合要素及び第２の係合要素を有し、前記第１の係合要素と前記第２の係合要素とは、互いに対して横方向に離隔され、前記第１の係合要素及び前記第２の係合要素は、前記受容容器のそれぞれ第１の受容凹部及び第２の受容凹部を通して嵌合し、前記受容容器に装着されるときに、第１の付勢ユニット及び第２の付勢ユニットと接触するよう構成されることが、特に好適である。
【００３５】
本実施例は、接続プラグの逆転された又は横方向に反転された装着を許容する構成を含み得る。代替としては、本実施例は、接続プラグの逆転された又は横方向に反転された装着を防止する構成を含み得る。一般的に、該接続プラグは、かなりの組み立ての遊びなしに、受容容器において受容されることができる。該接続プラグは、長手方向Ｘ、横方向Ｙ及び挿入方向Ｚの少なくとも１つにおいて、少なくとも１つの付勢ユニットにより付勢され得る。好適には、該接続プラグは、長手方向Ｘ、横方向Ｙ及び挿入方向Ｚの少なくとも１つにおいて、当接要素に対して付勢される。
【００３６】
本発明の他の態様は、モータを収容する筐体と、着脱可能な切断ユニットと、を有する毛切断機器であって、前記筐体は更に、本発明の原理による受容容器を有し、前記着脱可能な切断ユニットは、本発明の原理による接続プラグを有する、毛切断機器に関する。好適には、該受容容器及び該切断ユニットの接続プラグは、ここで議論された態様及び実施例の少なくとも幾つかによって形成される。
【００３７】
本発明のこれらの及び他の利点及び特徴は、本発明を説明する意図のものであって限定する意図のものではない、添付図面を参照しながら示される、本発明の特定の実施例の以下の詳細な説明から、より完全に理解されるであろう。
【００３８】
本発明の幾つかの態様は、以下に説明される実施例を参照しながら説明され明らかとなるであろう。
【図面の簡単な説明】
【００３９】
【図１】毛切断動作のために毛切断機器に取り外し可能に装着可能な切断ユニットの実施例と適合する電気毛切断機器の例の模式的な斜視図を示す。
【図１（ａ）】図１による毛切断機器の切断ユニットの刃セットの部分的な斜視底面図である。
【図１（ｂ）】刃セットの壁部が単に説明の目的のため省略された、図１ａの図に対応する更なる部分的な斜視上面図である。
【図２】分解図で示された、受容容器と接続プラグを有する切断ユニットとを有する毛切断機器の部分的な斜視図を示す。
【図３】図２に示された接続プラグ及び受容容器の部分的な斜視断面図を示す。
【図４】図２に示された構成の更なる、異なる向きの、部分的な斜視断面図を示す。
【図５】接続プラグが取り外された状態で示された、受容容器及び接続プラグを持つ毛切断機器の他の実施例の部分的な斜視図を示す。
【図６】図５に示された構成の他の斜視図を示す。
【図７】接続プラグが第１の付勢ユニット及び第２の付勢ユニットと協働する、図５及び６に示された接続プラグの詳細な斜視図を示す。
【図８】分解された状態の、図７に示された構成の更なる詳細な斜視図を示す。
【図９】接続プラグが対応する第２の付勢要素と協働する、図７に示された接続プラグの簡略化された模式的な底面図を示す。
【図１０】図７に示された接続プラグ及び代替のばねユニット構成を有する、更に他の実施例の詳細な斜視図を示す。
【図１１】分解された状態の、図１０に示された接続プラグ及び付勢ユニットの他の斜視図を示す。
【発明を実施するための形態】
【００４０】
図１は、毛切断機器１０、特に電気毛切断機器１０の実施例を、簡略化された斜視図で模式的に示す。切断機器１０は、筐体１２、筐体１２における破線ブロック１４で示されたモータ、及び筐体１２における破線ブロック１６で示された駆動機構を含んでも良い。モータ１４に電力供給するため、切断機器１０の少なくとも幾つかの実施例においては、例えば充電可能なバッテリ、交換可能なバッテリ等のような、筐体１２における破線ブロック１７で示された電気バッテリが備えられても良い。しかしながら、幾つかの実施例においては、切断機器１０は、電源に接続するための電力ケーブルを備えても良い。（内部の）電気バッテリ１７に加えて、又は代替として、電源コネクタが備えられても良い。
【００４１】
切断機器１０は更に、切断ヘッド又は切断ユニット１８を有しても良い。切断ユニット１８において、刃セット２０が毛切断機器１０に装着されても良い。切断ユニット１８の刃セット２０は、切断運動を可能とするため、駆動機構１６を介してモータ１４により駆動されても良い。
【００４２】
切断運動は、刃セット２０の固定刃２２と可動刃２４との間の相対運動と一般的にみなされ得る（図１ａ及び１ｂも参照）。一般的にユーザは、毛を切断するため動き方向２８に毛を通るように切断機器１０を把持してガイドし得る。更に、刃セット２０は、切断ユニット１８において枢動可能な態様で配置されても良い（参照番号２６により示された湾曲した双方向矢印を参照）。幾つかの実施例においては、切断機器１０、又はより具体的には刃セット２０を含む切断ユニット１８は、皮膚に生えた毛を切断するよう皮膚に沿って動かされ得る。皮膚の近くで毛を切断するときには、シェービング動作は基本的に、皮膚のレベルにおける切断（又はチョッピング）を意図して実行され得る。しかしながら、刃セット２０を有する切断ユニット１８が皮膚に対する所望の距離における経路を通過させられるクリッピング（又はトリミング）動作も想到され得る。
【００４３】
毛を通るようガイドされ導かれる場合、刃セット２０を含む切断機器１０は典型的に、図１において参照番号２８により示される共通の運動方向に沿って動かされる。これに関連して、毛切断機器１０が典型的に手動でガイドされ動かされるものとすると、移動方向２８は必ずしも、正確な幾何的な基準とみなされる必要はなく、切断機器１０及び刃セット２０に固定された切断ユニット１８の向きに対して固定された定義及び関係を持つ必要はないことは、言及しておく価値がある。即ち、皮膚における切断されるべき毛に対する切断機器１０の全体的な向きは、幾分不安定なものとみなされ得る。しかしながら、説明の目的のため、（仮想的な）運動方向２８は、毛切断機器１０の構造的な特徴を説明するための手段として以下に機能し得る座標系の主中央面に平行（又は全体として平行）であると仮定することが適当となり得る。
【００４４】
参照の容易さのため、図１乃至１１の幾つかにおいて座標系が示されている。例えば、図１においてカーテシアン座標系Ｘ−Ｙ−Ｚが示されている。それぞれの座標系のＸ軸は、本開示の目的のため、一般的に長さに関連する長手方向に概して延在する。座標系のＹ軸は、本開示の目的のため、幅に関連する横方向（又は横断方向）に延在する。座標系のＺ軸は、幾つかの実施例においては説明の目的のため一般的に垂直方向と呼ばれ得る、高さ方向又は挿入方向に延在する。言うまでもなく、毛切断機器１０の特徴的な機能及び／又は実施例に対する座標系の関連付けは、主に説明の目的のために示されるものであり、限定的な態様で解釈されるべきではない。当業者は、異なる向きを含む代替の実施例、対応する図面及び説明に直面した際、ここで示される座標系を容易に変換及び／又は移動し得ることは、理解されるべきである。
【００４５】
図１ａ及び１ｂは、図１に例示的に示された切断ユニット１８の刃セット２０の部分的な詳細図を示す。刃セット２０は、固定刃２２及び可動刃２４を有する。例として、刃セット２０は、少なくとも１つの基本的に横方向に延在する端即ち切断端を有しても良い。刃セット２０が、長手方向に互いに離隔された２つの切断端を有することが、好適である。固定刃２２及び可動刃２４は、基本的に平坦な形状を有しても良い。固定刃２２が、可動刃２４を収容しガイドするよう構成されることが、特に好適である。換言すれば、固定刃２２は、可動刃２４のための殻部又はケージとみなされ得る。固定刃２２は、横方向Ｙに垂直な平面で見て、即ち少なくとも１つの切断端において、基本的にＵ字型の断面を有しても良い。該Ｕ字型の形状は、第１の脚部及び第２の脚部を有しても良い。第１の脚部と第２の脚部との間には、可動刃２４のためのガイドスロットが定義されても良い。可動刃２４は、固定刃２２に対する横方向の動きのため、固定刃２２において収容されガイドされても良い。可動刃２４及び固定刃２２は、はさみ状の動作で毛を切断することを可能とする、切断端におけるそれぞれの歯を有しても良い。固定刃２２は基本的に、毛を切断するときに皮膚に面する側において、及び、毛を切断するときに皮膚とは反対に面する側において少なくとも部分的に、可動刃２４を囲む。刃セット２０、又はより具体的には固定刃２２及び可動刃２４は、第１の歯状切断端と第２の第１の歯状切断端とを有しても良い。これら切断端は、長手方向Ｘに基本的に平行である運動方向２８において、互いに対して離隔されている。
【００４６】
刃セット２０をシェービング動作に適切に適合させるため、少なくとも前記少なくとも１つの切断端において、刃セット２０の全体的な高さ（又は厚さ）が比較的小さいことが好適である。特に、固定刃２２の皮膚側の部分が、比較的小さい厚さを持つことが好適である。更に好適には、皮膚に面する固定刃部分の厚さは、少なくとも切断端においては、皮膚とは反対側を向く固定刃部分の厚さよりも、かなり小さい。毛切断機器１０の固定刃２２の例は、約０．３ｍｍ乃至約０．７５ｍｍの範囲内の全高又は厚さを有しても良い。固定刃の皮膚に面する部分の高さ又は厚さは、少なくとも、少なくとも１つの先行端においては、約０．０４ｍｍ乃至約０．２５ｍｍの範囲内であっても良い。皮膚とは反対側を向く固定刃部分の高さ又は厚さは、約０．０８ｍｍ乃至約０．４ｍｍの範囲内であっても良い。可動刃２４の高さ又は厚さは、少なくとも該少なくとも１つの先行端においては、約０．０５ｍｍ乃至約０．５ｍｍの範囲内であっても良い。可動刃２４の高さは基本的には、可動刃２４のための固定刃２２により定義されるガイドスロットの高さに対応し得る。
【００４７】
図２乃至４を特に参照しながら、切断ユニット１８のための取り外し可能なインタフェースを含む毛切断機器１０の実施例が示され更に詳細に説明される。切断ユニット１８は、Ｚ軸に基本的に平行である挿入方向において毛切断機器１０の筐体１２に装着可能及び該筐体１２から取り外し可能であっても良い。該取り外し可能なインタフェースは基本的に、受容容器３０及び対応する接続プラグ３２を含んでも良い。例として、特に図２を参照すると、受容容器３０は、毛切断機器１０の筐体１２に配置されていても良い。従って、切断プラグ３２は、切断ユニット１８において備えられても良い。言うまでもなく、幾つかの実施例において、対応する嵌合要素が交換され得る。
【００４８】
受容容器３０は、少なくとも１つの受容ソケット３４ａ、３４ｂを含む。例えば、受容容器３０は、該容器の第１の横方向端部において第１の受容ソケット３４ａを、第２の横方向端部において第２の受容ソケット３４ｂを、含んでも良い。少なくとも１つの受容ソケット３４ａ、３４ｂは、それぞれ受容凹部３６ａ、３６ｂを有しても良い。受容凹部３６ａ、３６ｂは、受容孔、受容開口等ともみなされ得る。少なくとも１つの受容凹部３６ａ、３６ｂが、長手方向Ｘ及び横方向Ｙに基本的に平行である面で見たときに、接続プラグ３２の少なくとも１つの対応する係合要素３８ａ、３８ｂの断面に基本的に対応する開口を定義することが、特に好適である。接続プラグ３２は、基部面又は基部４０から挿入方向Ｚに基本的に延在しても良い少なくとも１つの係合要素３８ａ、３８ｂを有しても良い。換言すれば、受容容器３０は、接続プラグ３２におけるピン又はプラグ状パターンに適合された孔状パターンを有しても良い。しかしながら、以下に更に説明され示されるように、少なくとも１つの受容凹部３６及び少なくとも１つの係合要素３８を、これらの間にしっかりとした嵌め込みが確実とされるよう適合する必要は必ずしもない。以下に更に議論されるように、接続プラグ３２と受容容器との正確で遊びのない整合は、少なくとも１つの係合要素３８と付勢構成との相互作用により確実にされる。
【００４９】
少なくとも１つの係合要素３８ａ、３８ｂは、先細の挿入部４２の前端において備えられても良い。このことは、接続プラグ３２の挿入を容易化し得る。少なくとも１つの係合要素３８ａ、３８ｂは更に、接触窪み４４を備えても良い。図２及び４に最も良く示されているように、接触窪み４４は、少なくとも１つの係合要素３８ａ、３８ｂの横側における凹状の又は半円形の窪み４４として形成されても良い。更に、少なくとも１つの係合要素３８ａ、３８ｂは、接触窪み４４が備えられた該側とは反対側の横側に凹部４６を備えても良い。凹部４６は主に、接続プラグ３２の垂直位置を定義するために係合される接触面を定義する。以上に既に示したように、該垂直位置は基本的に、挿入方向Ｚにおける位置に対応し得る。接触窪み４４は主に、長手方向Ｘにおいて受容容器３０に対して接続プラグ３２を整合するために備えられる。受容容器３０と接続プラグ３２とは、図２において取り外された状態で示されている。図３及び図４は、受容容器３０と接続プラグ３２とを、取り付けられた又は装着された状態で示す。図３は断面図を示し、ここで断面は挿入方向Ｚ及び横方向Ｙに平行な中央面である。これとは異なり、図４は、断面が基本的に挿入方向Ｚに垂直であり且つ横方向Ｙに平行である、断面図を示す。
【００５０】
図３に最も良く示されているように、受容容器３０は更に、少なくとも１つの付勢ユニット５２ａ、５２ｂを含む付勢構成５０を有しても良い。図２に導入された接続プラグ３２の実施例においては、付勢構成５０は、第１の係合要素３８ａと協働する第１の付勢ユニット５２ａと、第２の係合要素３８ｂと協働する第２の付勢ユニット５２ｂと、を有する。付勢構成５０は、接続プラグ３２の少なくとも１つの係合要素３８ａ、３８ｂと係合するよう構成される。ここで、係合とは特に、少なくとも１つの係合要素３８の接触窪み４４及び凹部４６に付勢力をかけることを含んでも良い。付勢構成５０は、受容方向Ｚ、横方向Ｙ及び長手方向Ｘにおいて、接続プラグ３２についての受容位置を定義するよう構成されても良い。
【００５１】
少なくとも１つの付勢ユニット５２ａ、５２ｂは、第１の付勢要素５４ａ、５４ｂを有しても良い。少なくとも１つの第１の付勢要素５４ａ、５４ｂは、係合要素３８ａ、３８ｂのそれぞれの凹部４６と係合するよう構成されても良い。このようにして、切断ユニット１８を解放するため打ち克たれる必要がある保持力が、係合要素３８ａ、３８ｂにかけられ得る。幾つかの実施例においては、第１の付勢要素５４が、それぞれの突出する接触部又は湾曲接触部５８ａ、５８ｂを備えることが、特に好適となり得る。更に、第１の付勢要素５４ａ、５４ｂ及びそれぞれの接触部５８が、係合要素３８ａ、３８ｂを、従って更には接続プラグ３２の基部４０を、挿入方向Ｚに沿って定義された端位置へと引き、ここで接続プラグ３２の当接面４８が、受容容器３０において対応する当接端部４９と接触することが、好適である。更に、第１の付勢要素５４ａ、５４ｂが依然として、端位置において接続プラグ３２に引き力をかけることが好適である。このようにして、接続プラグ３２と受容容器３０との基本的に遊びのない垂直方向の整合が実現され得る。
【００５２】
少なくとも１つの付勢ユニット５２ａ、５２ｂは更に、係合要素３８ａ、３８ｂにおいて接触窪み４４に係合するよう構成されたそれぞれの第２の付勢要素５６ａ、５６ｂを有しても良い。図４に最も良く示されているように、第２の付勢要素５６ａ、５６ｂは、それぞれの接触窪み４４ａ、４４ｂに入り得る整合接触部６０ａ、６０ｂを備えても良い。特に整合接触部６０ａ、６０ｂは、整合接触部６０ａ、６０ｂの長手方向端部に備えられた対向する接触部分６２ａ、６２ｂを備えても良い。対向する接触部分６２ａ、６２ｂは、接触窪み４４の（内側の）凹状面に係合し得る。このようにして、係合要素３８ａ、３８ｂの、従って更には接続プラグ３２の、長手方向の位置が定義され整合されることができる。
【００５３】
それぞれの付勢ユニット５２ａ、５２ｂの第１の付勢要素５４及び第２の付勢要素５６が、反対方向においてそれぞれの係合要素３８ａ、３８ｂを付勢するよう構成されることが、特に好適である。従って、係合要素３８ａ、３８ｂ及び接続プラグ３２の横方向の位置もが、定義されることができる。
【００５４】
図３及び４において最も良く示されているように、付勢構成５０は、各々がそれぞれの第１の付勢要素５４ａ、５４ｂ及びそれぞれの第２の付勢要素５６ａ、５６ｂを含む、第１の付勢ユニット５２ａ及び第２の付勢ユニット５２ｂを含む一体化された単一部品構造を有しても良い。従って、２つの係合要素３８ａ、３８ｂを有する接続プラグ３２は、受容容器３０においてセンタリングされ信頼性高く固定されることができる。付勢構成５０は、一体の板ばね構成として形成されても良い。図４において最も良く示されているように、付勢構成５０は、好適な実施例においては、筐体１２の中央部に空間又は間隙が備えられるような形状とされる。従って、付勢構成５０は、駆動機構１６（図１も参照）のために必要とされる空間を塞がない。
【００５５】
図２乃至４に示された取り外し可能なインタフェースは、基本的に自動ロック式のインタフェースである。接続プラグ３２を有する切断ユニット１８を受容容器３０に挿入するときには、ユーザは、係合要素３８ａ、３８ｂにおける接触窪み４４及び主には凹部４６を係合させるため切断ユニット１８に挿入力をかけ得る。挿入方向Ｚに沿った或る位置において、第１の付勢要素５４ａ、５４ｂは、凹部４６を湾曲接触部５８ａ、５８ｂへとスナップ式に留めて係合させても良い。ユーザは必ずしも、切断ユニット１８を受容容器３０において整合させる必要はない。該取り外し可能なインタフェースは、自己整合式の態様で形成され得る。
【００５６】
切断ユニット１８を受容容器３０から離すためには、ユーザは基本的に、係合要素３８ａ、３８ｂにおける凹部４６から接触部５８ａ、５８ｂを離すのに十分に高い解放力をかける必要がある。付加的な係止要素を解放する必要はない。
【００５７】
図５及び６を特に参照しながら、毛切断機器１０の代替の実施例が更に記載され、詳細に説明される。毛切断機器１０ａは、受容容器３０ａ及び対応する接続プラグ３２ａを含む、取り外し可能なインタフェースを有する。接続プラグ３２ａは、射出成型された部品として一体的に形成される。接続プラグ３２ａは、基部４０ａを含み、基部４０ａは、該基部から挿入方向Ｚに延在する第１の係合要素３８ｃ及び第２の係合要素３８ｄを有する。受容容器３０ａにおいて、係合要素３８ｃ、３８ｄの断面形状に適合された、２つのそれぞれの受容凹部３６ｃ、３６ｄが備えられる。図５において最も良く示されているように、受容凹部３６ｃ、３６ｄ、及び対応して係合要素３８ｃ、３８ｄは、挿入方向Ｚ及び横方向Ｙにより定義される中央面に対して鏡面対称ではない形状を有しても良い。しかしながら、受容凹部３６ｃ、３６ｄ及び係合要素３８ｃ、３８ｄは、挿入方向Ｚ及び長手方向Ｘにより定義される横断面に対して鏡面対称であっても良い。本実施例は、組み立て不良を防止し得る。図５は更に、押し動作による接続プラグ３２ａの取り外しを容易化し得る、滑動要素６４を示している。滑動要素６４は、Ｚ方向に基部４０ａに対して押され、その結果、第１の係合要素３８ｃ及び第２の係合要素３８ｄを、受容付勢要素５０から取り外しても良い（これに関しては図３も参照）。
【００５８】
接続プラグ３２ａ及びそれぞれの係合要素３８ｃ、３８ｄは、図７乃至１１におけるそれぞれの付勢構成５０ａ、５０ｂと関連して更に説明され示される。板ばね付勢構成の例５０ａが、図７及び８に示される。板ばね及び線ばねを含む付勢構成の例５０ｂが、図１０及び１１に示される。
【００５９】
図７を参照しながら、付勢構成５０ａが説明される。例として、付勢構成５０ａは、２つの板ばねから成るものであっても良い。該２つの板ばねは、基本的にＵ字型又はＶ字型であっても良い。図８を参照しながら最も良く示されるように、該２つの板ばねは、第１の付勢要素５４ｃ及び第２の付勢要素５６ｃから成る第１の付勢ユニット５２ｃと、第１の付勢要素５４ｄ及び第２の付勢要素５６ｄから成る第２の付勢ユニット５２ｄと、を一般的に形成するように組み合わせられても良い。第２の付勢要素５６ｃ、５６ｄは、係合要素３８ｃ、３８ｄにおいて基本的に垂直方向に延在する接触窪み４４に係合するよう構成されても良い。これに関して、図９への更なる参照が為される。接触窪み４４に係合するため、第２の付勢要素５６ｃ、５６ｄは、それぞれの接触部分６０ｃ、６０ｄを備えても良い。接触部分６０ｃ、６０ｄの各々は更に、対向する接触部分６２ｃ、６２ｄを備えても良い。更に図９から、対向する接触部分６２ｃ、６２ｄは、接触部分６０ｃ、６０ｄの長手方向端部により形成されても良いことが分かる。第２の付勢要素５６ｃ、５６ｄは更に、互いに向けて作用して、接続プラグ３２ａの横方向の位置及び長手方向の位置を定義するよう構成されても良い。このことは、対向する接触部分６２ｃ、６２ｄが、長手方向Ｘに対して及び横方向Ｙに対して基本的に傾いた、係合要素３８ｃ、３８ｄの接触窪み４４の傾斜面又は湾曲面と協働し得るため、実現され得る。例として、係合要素３８ｃ、３８ｄにおいて、傾いた接触面が、長手方向Ｘ及び横方向Ｙに対して約４５°の角度で配置されても良い。従って、長手方向Ｘに基本的に垂直な、付勢要素５６ｃ、５６ｄにより生成される付勢力が、「分解」され得る。従って、長手方向Ｘ及び横方向Ｙにおける接続プラグ３２ａの整合及び位置決めに寄与し得る、その結果の長手方向成分及び横方向成分が生成され得る。
【００６０】
特に図８を参照しながら、係合要素３８ｃ、３８ｄにおける凹部４６の更なる実施例が説明される。凹部４６は、挿入方向Ｚに対して傾いた先細面６６を含んでも良い。更に、凹部４６は、係合要素３８ｃ、３８ｄにおいて横方向の開口６８を有しても良い。
【００６１】
図１０及び１１は更に、付勢構成５０の代替実施例を示す。図１０に示された付勢構成５０ｂは、板ばね及び線ばねから成る。該線ばねは、第１の付勢ユニット５２ｅの第１の付勢要素５４ｅ、及び第２の付勢ユニット５２ｆの第１の付勢要素５４ｆを有する、一体的な線ばねとして形成されても良い。第１の付勢要素５４ｅ、５４ｆは、一体的に形成されても良い（図１０参照）。しかしながら、代替として、第１の付勢要素５４ｅ、５４ｆは、別個の付勢要素として形成されても良い（図１１参照）。第１の付勢要素５４ｅ、５４ｆの各々は、２つの略垂直に延在する腕部を有しても良く、これら腕部はそれぞれ、係合要素３８ｃ、３８ｄの凹部４６に接触するよう構成された接触部５８ｅ、５８ｆによって接続されても良い。線ばねベースの第１の付勢要素５４ｅ、５４ｆは、板ばねベースの第２の付勢要素５６ｅ、５６ｆと協働しても良い。付勢要素５４ｅ、５６ｅは、第１の付勢ユニット５２ｅを形成しても良い。付勢要素５４ｆ、５６ｆは、第２の付勢ユニット５２ｆを形成しても良い。付勢要素５６ｅ、５６ｆは、係合要素３８ｃ、３８ｄにおける接触窪み４４に係合するための、それぞれの接触部６０ｅ、６０ｆを備えても良い。
【００６２】
これに関連して、本発明の原理による付勢構成５０ａ、５０ｂは、異なる形状とされ異なる構成を持つようにされても良いことが、ここでまた強調される。例えば、各付勢ユニット５２は、別個の付勢ユニットとして形成されても良い。従って、それぞれの付勢ユニットの第１の付勢要素５４と第２の付勢要素５６とは、一体的に形成されても良い。更に、第１の付勢要素５４及び第２の付勢要素５６の各々は、別個の部分として形成されても良い。付勢要素５４、５６は、金属の付勢要素として形成されても良いが、プラスチックの付勢要素として形成されても良い。付勢要素５４、５６は、リーフスプリング又は板ばねとして形成されても良いが、線ばね又はコイルばねとして形成されても良い。更に、付勢要素５４、５６の少なくとも一方、好適には付勢構成５０が、スナップ式部品又は挿入成型部品として、受容容器３０に備えられることも想到され得る。
【００６３】
本発明の原理によれば、基本的に長手方向に垂直な方向に、より好適には挿入方向Ｚにも少なくとも略垂直な方向に延在する、付勢要素５４、５６の付勢力は、結果としての力成分が、接続プラグ３２、３２ａを、空間的に即ち長手方向Ｘ、横方向Ｙ及び挿入方向Ｚに整合させるよう、適切に分解されることができる。
【００６４】
本発明の実施例が、一部添付図面を参照しながら、以上に説明されたが、本発明はこれら実施例に限定されるものではないことは、理解されるべきである。図面、説明及び添付される請求項を読むことにより、請求される本発明を実施化する当業者によって、開示された実施例に対する他の変形が理解され実行され得る。本明細書を通して、「一実施例」又は「実施例」とは、当該実施例と組み合わせて記載される特定の特徴、構成又は特性が、本発明の少なくとも１つの実施例に含まれることを意味する。従って、本明細書の各所における「一実施例において」又は「実施例において」なる語句の出現は、必ずしも全てが、同一の実施例を参照しているわけではない。更に、１つ以上の実施例の特徴、構成又は特性が、いずれかの適切な態様で組み合わせられ、新たな、明示的に記載はされていない実施例を形成しても良い。
【００６５】
請求項において、「有する（comprising）」なる語は他の要素又はステップを除外するものではなく、「１つの（a又はan）」なる不定冠詞は複数を除外するものではない。単一の要素又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【００６６】
請求項におけるいずれの参照記号も、請求の範囲を限定するものとして解釈されるべきではない。
【要約】
本発明は、着脱可能な切断ユニット１８を有する毛切断機器１０、及び毛切断機器１０の筐体１２に切断ユニット１８を着脱可能に接続するための受容容器３０及び接続プラグ３２に関する。受容容器３０は、接続プラグ３２の対応する係合要素３８を受容するよう構成された受容凹部３６を有する少なくとも１つの受容ソケット３４と、受容凹部３６の下において少なくとも１つの受容ソケット３４に配置された少なくとも１つの付勢ユニット５２と、を有し、少なくとも１つの付勢ユニット５２は、互いと横方向に離隔された第１の付勢要素５４と第２の付勢要素５６とを有し、第１の付勢要素５４及び第２の付勢要素５６は、接続プラグ３２の係合要素３８を受容し、これにより係合要素３８の受容位置を定義するよう構成され、第１の付勢要素５４は、挿入方向Ｚにおいて係合要素３８の受容位置を定義するよう構成された保持接触部５８を有し、第２の付勢要素５６は、長手方向Ｘ及び横方向Ｙにおいて係合要素３８の受容位置を定義するよう構成された整合接触部６０を有する。【図１】
0006027294.tif 000002
【図１ａ】
0006027294.tif 000003
【図１ｂ】
0006027294.tif 000004
【図２】
0006027294.tif 000005
【図３】
0006027294.tif 000006
【図４】
0006027294.tif 000007
【図５】
0006027294.tif 000008
【図６】
0006027294.tif 000009
【図７】
0006027294.tif 000010
【図８】
0006027294.tif 000011
【図９】
0006027294.tif 000012
【図１０】
0006027294.tif 000013
【図１１】
0006027294.tif 000014